(57)【要約】【課題】画素ユニット、画素アレイ、マルチメディア装置及びその製造方法を提供する。【解決手段】  本発明の画素ユニットは、表示媒体モジュール及び能動スイッチング素子を含む。該表示媒体モジュールは、少なくとも１対の電極を含み、該対電極は、第１電極、第２電極及び表示媒体を含み、該第１電極及び該第２電極は、互いに仕切られ、該表示媒体は、該第１電極及び第２電極の間に設置される。該能動スイッチング素子は、該第１電極に電気接続され、該第１電極及び該第２電極に該表示媒体の状態を変化させる。該能動スイッチング素子は、能動スイッチング素子基板部及びトランジスタ部を含み、該トランジスタ部は、該能動スイッチング素子基板部上に直接形成される。これにより、能動スイッチング素子は、独立して製造され、その製造条件は、該表示媒体モジュールにより制限される。【選択図】図４Ａ
2019086773.tif 000002
【特許請求の範囲】
【請求項１】
少なくとも１対の電極を含み、第１電極、第２電極及び表示媒体を含み、該第１電極及び該第２電極は、互いに仕切られ、該表示媒体は、該第１電極及び該第２電極の間に設置される表示媒体モジュールと、
該第１電極に電気接続され、該第１電極及び該第２電極に該表示媒体の状態を変化させることに用いられる能動スイッチング素子と、
を含み、該能動スイッチング素子は、能動スイッチング素子基板とトランジスタ部を含み、該トランジスタ部は、該能動スイッチング素子基板部上に直接形成される画素ユニット。
【請求項２】
前記表示モジュールは、更に、第１基板及び／又は第２ｙ基板を含み、該第１基板及び該第２基板は、互いに対をなし且つ／又は互いに仕切られ、
該第１電極は、該第１基板上に設置され、該第２電極は、該第１基板又は該第２基板上に設置され、
該能動スイッチング素子は、該第１基板及び／又は該第２基板に取り付けられる請求項１に記載の画素ユニット。
【請求項３】
該第１基板又は該第２基板は、光透過材料、非光透過材料、可撓性材料、剛性材料、金属材料、セラミック材料、絶縁材料、金属化合物、金属合金、有機材料、無機材料、複合材料及び半導体材料の少なくとも１つにより製作される請求項２に記載の画素ユニット。
【請求項４】
パッケージキャリアを更に含み、該能動スイッチング素子は、該パッケージキャリア中にパッケージングされる請求項１に記載の画素ユニット。
【請求項５】
更に、機能素子を含み、該機能素子は、該第１基板、第２基板及び／又は該パッケージキャリアの第２基板に取り付けられ、該機能素子は、変位センシング機能素子、圧力センシング素子、温度湿度センシング機能素子、音波センシング機能素子、電磁波センシング機能素子、タッチセンシング機能素子、イメージ取得機能素子、メモリ機能素子、制御機能素子、無線通信機能素子、受動機能素子、自発光機能素子及び太陽光発電機能素子の何れか１つを含む請求項３又は４に記載の画素ユニット。
【請求項６】
更に、キャリアボードを含み、該表示媒体モジュールは、該キャリアボードに設置され、該能動スイッチング素子は、該キャリアボード上に取り付けられる請求項１に記載の画素ユニット。
【請求項７】
前記第１基板及び、第２基板及び／又は該キャリアボードは、凹溝及び／又は貫通孔を含み、該能動スイッチング素子及び／導電体は、該凹溝又は該貫通孔中に取り付けられる請求項２又は６に記載の画素ユニット。
【請求項８】
更に、制御信号線及びデータ信号線を含み、該制御信号線及び該データ信号線は、該第１基板、該第２基板及び／又は該キャリアボード上に形成され、能動スイッチング素子に電気接続される請求項２に記載の画素ユニット。
【請求項９】
前記表示媒体モジュールは、更に、光学素子を含み、該表示媒体と互いに光学的に結合し、該光学素子は、凸レンズ、凹レンズ及び光学プリズムの少なくとも１つを含み、該表示媒体モジュールの形状は、方形、矩形、扇形、三角形、台形、円形、多辺形、不規則形又はその組み合わせの何れかである請求項１に記載の画素ユニット。
【請求項１０】
前記能動スイッチング素子は、複数の該表示媒体モジュール中の該第１電極に電気接続し、同期及び／又は非同期の方式でそれぞれ各該第１電極を制御し、該第１電極及び該第２電極に該表示媒体の形態を変化させることに用いられ、多層及び／又は多面の表示機能を実現する請求項１に記載の画素ユニット。
【請求項１１】
前記表示媒体は、自発光媒体材料、非自発光媒体材料、光学フィルタリング材料、導電材料、絶縁材料、光吸収材料、光反射材料、偏光材料及び光拡散材料の少なくとも１つを含む請求項１に記載の画素ユニット。
【請求項１２】
前記非自発光媒体材料は、電気泳動式、電動流体、液晶、微小電気機械反射体、エレクトロウェッティング、電子インク、磁性流体、エレクトロクロミック、電気的相変化、熱誘起変色のうちの少なくとも１つを含み、該自発光媒体材料は、エレクトロルミネセント材料、フォトルミネッセンス材料、陰極発光材料、電界放出発光物質、燐光材料、蛍光材料、発光ダイオードのうち少なくとも１つを含む請求項１１に記載の画素ユニット。
【請求項１３】
それぞれが、少なくとも１対の電極を含み、第１電極、第２電極及び表示媒体を含み、該第１電極及び該第２電極は、互いに仕切られ、該表示媒体は、該第１電極及び該第２電極の間に設置される複数の表示媒体モジュールと、
該第１電極に電気接続され、該第１電極及び該第２電極に該表示媒体の状態を変化させることに用いられる能動スイッチング素子と、
を含み、該能動スイッチング素子は、能動スイッチング素子基板とトランジスタ部を含み、該トランジスタ部は、該能動スイッチング素子基板部上に直接形成される画素アレイ。
【請求項１４】
前記表示モジュール及び前記能動スイッチング素子は、該キャリアボードに取り付けられ、該表示媒体モジュールを該能動スイッチング素子に電気接続させることに用いられる請求項１３に記載の画素アレイ。
【請求項１５】
磁性誘導部及びキャビティ部を更に含むマルチメディア基板と、
該マルチメディア基板のキャビティ部の下に設置される磁性基板と、
該マルチメディア基板上に設置される複数の画素アレイと、
を含み、該画素アレイの能動スイッチング素子は、該マルチメディア基板の該磁性誘導部及び該画素アレイの表示媒体モジュールに電気接続し、
該磁性誘導部は、電流の変化により、吸引及び反発の作用力を発生し、該マルチメディア基板及び／又は該磁性基板を振動して音声を発生させ、スピーカ及び／又は表示装置の少なくとも１つを有するようになるマルチメディア装置。
【請求項１６】
更に、マルチメディア信号ライン基板及び／又はマルチメディア光源基板を含み、該基板は、光透過材料、非光透過材料、可撓性材料、剛性材料、導電材料、絶縁材料、有機材料、無機材料、金属化合物、金属合金、金属材料、セラミック材料、複合材料及び半導体材料の少なくとも１つにより、発光、導光、光拡散、偏光、屈折、反射、拡散反射、輝度増加、電気伝導及び熱伝導等の機能の少なくとも１つを有するものを製造する請求項１５に記載のマルチメディア装置。
【請求項１７】
能動スイッチング素子を先に製造することと、
該能動スイッチング素子を表示媒体モジュールに取り付けることと、を含み、
該表示媒体モジュールは、第１電極、第２電極及び表示媒体を含み、該第１電極及び該第２電極は、互いに仕切られ、該表示媒体は、該第１電極及び該第２電極の間に設置され、該能動スイッチング素子は、能動スイッチング素子基板部及びトランジスタ部を含み、該トランジスタ部は、該能動スイッチング素子部上に形成され、
該能動スイッチング素子は、該第１電極に電気接続し、該第１電極及び該第２電極に該表示媒体の状態を変化させることに用いられる画素ユニットの製造方法。
【請求項１８】
前記能動スイッチング素子は、能動スイッチング素子は、シリコンウエハ、III-V族、ガラス、石英、有機軟質物、無機物、金属、金属化合物、高分子化合物、およびグラファイトシリコンの少なくとも1つの基板上に製造され、半導体プロセスによって製造され、能動スイッチング素子は、機能素子をパッケージキャリアにパッケージングし、且つ/又は該表示媒体モジュールに直接組み立てることができる請求項１７に記載の画素ユニットの製造方法。
【請求項１９】
能動スイッチング素子を先に製造することと、
該能動スイッチング素子を複数の表示媒体モジュールに取り付けることと、を含み、
該表示媒体モジュールは、第１電極、第２電極及び表示媒体を含み、該第１電極及び該第２電極は、互いに仕切られ、該表示媒体は、該第１電極及び該第２電極の間に設置され、該能動スイッチング素子は、能動スイッチング素子基板部及び複数のトランジスタ部を含み、該トランジスタ部は、該能動スイッチング素子部上に形成され、
該能動スイッチング素子は、該画素アレイキャリアボード上に取り付けた後又は直接に該第１電極に電気接続し、該第１電極及び該第２電極に該表示媒体の状態を変化させることに用いられる画素アレイの製造方法。
【請求項２０】
それぞれ画素アレイを先に製造することと、
マルチメディア基板に磁性誘導部を形成し、下表面に１つのキャビティ部を形成し、  該画素アレイをマルチメディア基板に取り付けることと、
磁性基板を該マルチメディア基板のキャビティ部の下に取り付けることと、
該画素アレイの能動スイッチング素子は、該マルチメディア基板の該磁性誘導部及び該画素アレイの表示媒体モジュールに電気接続することと、
該磁性誘導部の電流の変化が、吸引及び反発の作用力を発生し、該マルチメディア基板及び／又は該磁性基板を振動して音声を発生させ、スピーカ及び／又は表示装置の少なくとも１つを有するようになるマルチメディア装置の製造方法。
【発明の詳細な説明】
【技術分野】
【０００１】
本発明は、画素ユニット、画素アレイ、マルチメディア装置及びその製造方法、及びそのは、表示媒体モジュールを有する画素ユニット、画素アレイ及びマルチメディア装置に関する。
【背景技術】
【０００２】
時代及び科学技術の進歩に伴い、人々は、視覚、聴覚イメージの視角的要求についても益々注目され、軽薄、ハイコントラスト、ハイアクティブ、高い色彩飽和度、高い開口率、大画面表示、低コスト、低電力消費、高品質、多面表示、メンテナンスが容易、高音質等の利点を有するマルチメディア装置が望まれている。
【０００３】
現在のマルチメディア装置の表示部分は、自発光及び非自発光等の方式であることができ、映像表示機能を達成し、液晶表示は、非自発光平面表示装置の主要方式に属し、それは、液晶媒体における上下電極の電圧の大きさを制御することにより、光線が該液晶媒体を通過する量を調整し、同時に、カラーフィルタリング層、偏光シート、光学機能シート及びバックライト光源等を合わせ、カラー表示の効果を達成する。
【０００４】
発光平面表示は、プラズマ、電界放出、エレクトロルミネッセンス、熱励起発光、電気励起発光、有機発光ダイオード等のタイプを含み、有機発光ダイオード（ＯＬＥＤ）は、高分子発光材料を利用して上電極及び下電極層の間に沈積し、電子と正孔伝導層等を合わせ、外部から電界を印加し、キャリアを移動させ、電子及び正孔キャリアを発生させ、再結合する現象によって光線表示を発生する。有機発光ダイオードの表示装置は、相対的に広視角を有し、反応速度が速く、パネルの厚さが薄く、バックライト及びカラーフィルタを必要とせず、大きな寸法を製造でき、可撓性を有する等の利点がある。
【０００５】
液晶及び有機発光ダイオード等の表示装置の表示方式は、何れも透明ガラスを基板とするが、該ガラス基板上に薄膜トランジスタ、下電極層、表示媒体層及び上電極層等の部材を順に直接的に形成する。薄膜トランジスタは、電極層及び/又は下電極層へ加える電圧又は電流を制御し、該表示媒体の状態の制御を達成するものであり、該ガラス基板上に順に薄膜トランジスタ及び組み合わせる電気伝導パターン等を直接形成する必要があり、これらパターンも画素ユニットが表示する有効領域を相対して圧縮させ、画素ユニットの高い開口率を達成することが困難である。
【０００６】
図１を参照し、それは、従来の画素ユニットの俯瞰図である。画素ユニット１ＰＰは、表示パネル（図示せず）の一部分であり、イメージの画素ユニット部分を表示する。一般に画素ユニット１ＰＰは、ガラス基板１０Ｓを含み、順に該ガラス基板１０Ｓ上にゲート制御線１１Ｇ、データ制御線１２Ｄ、薄膜トランジスタ１３Ｔ、画素電極１４ＰＥ及び共同の表示媒体及び画素対応電極（図示せず）等の素子を設置し、該薄膜トランジスタ１３Ｔは、ゲート、ソース、及びドレインを含み、それぞれ該ゲート制御線１１Ｇ、データ制御線１２Ｄ、画素電極１４ＰＥに電気接続し、表示媒体の状態を制御することに用いられ、該画素電極１４ＰＥの光通過量を調整する。有機発光ダイオード（ＯＬＥＤ）を表示媒体として採用し、より多くの薄膜トランジスタ及びコンデンサを必要とする。
また、タッチ機能等を追加する為、該画素ユニットは、より多くの信号制御線を追加する必要があり、このように、該画素電極の領域（光線通過）を更に縮小させる。また、表示パネルの各画素ユニット１ＰＰは、何れも同じガラス基板１０Ｓ、信号制御線、表示媒体、画素対応電極等の材料により一体に形成され、個別に損壊した画素ユニット１ＰＰについて交換又は修復を行うことが困難である。寸法が大きくなるほど、該薄膜トランジスタ１３Ｔのガラス基板に形成される範囲が大きくなり（即ち、該薄膜トランジスタ１３Ｔのアレイは比較的大きな面積を有する）、これは、画素ユニット１ＰＰの薄膜トランジスタ１３Ｔにおける各項の均等性（例えば、臨界電圧、電流駆動能力）に対して制御を行うことが困難であり、それが必要とするプロセス設備が高価であり、プロセスが複雑になり、製造時間が長く、コストが比較的高く、量産品質及び歩留まりの制御が不安定であり、多層表示媒体の制御及び多面表示の製造及び部分損壊した表示装置の補修を達成することが更に困難である。
【０００７】
現有のマルチメディア装置の表示部分は、毎回の画面更新に表示画素ユニット１ＰＰ周辺に位置する駆動回路素子に結合する必要があり、順に各画素ユニット１ＰＰの薄膜トランジスタ１３Ｔを駆動し、各画素ユニット１ＰＰの内容を上書きする動作を行い、電力消費の問題を招き易い。音声の部分を結合する場合、通常別途スピーカを取り付ける必要があり、コストが比較的高く、軽薄化が比較的困難な複雑なシステムとなる
【０００８】
上記を総合し、現有のマルチメディア装置は、依然として様々な改善すべき欠陥がある。
【先行技術文献】
【特許文献】
【０００９】
【特許文献１】特開2005-196099号公報
【特許文献２】特開2005-234514号公報
【発明の概要】
【発明が解決しようとする課題】
【００１０】
本発明の目的は、画素ユニット、画素アレイ、マルチメディア装置及びその製造方法を提供することにあり、該表示ユニット及び画素アレイは、該マルチメディア装置に応用され、現有のマルチメディア装置のうちの欠陥を改善し、例えば、部分損壊した画素ユニット及び画素アレイの補修を改善し、画素ユニットの開口率、製造の歩留まりを高め、製造コストを低減し、生産時間工程を節減し、その他の機能（例えば、センシング、イメージ取得、記憶、制御、磁界センシング、信号伝送等）的なトランジスタを能動スイッチング素子に統合でき、トランジスタの各項における特性の均等性を向上し、多層表示及び多面表示等の機能及び高性能なマルチメディア装置を実現する。
【課題を解決するための手段】
【００１１】
上記目的を達成するため、本発明が提供する画素ユニットは、表示媒体モジュール及び能動スイッチング素子を含む。該表示媒体モジュールは、少なくとも１対の電極を含み、該対電極は、第１電極、第２電極及び表示媒体を含み、該第１電極及び該第２電極は、互いに仕切られ、該表示媒体は、該第１電極と第２電極の間に設置される。該能動スイッチング素子は、該第１電極に電気接続し、該第１電極及び該第２電極に該表示媒体の状態を変化させることに用いられる。該能動スイッチング素子は、能動スイッチング素子基板部及びトランジスタ部を含み、該トランジスタ部は、該能動スイッチング素子基板部上に形成される。
【００１２】
上記目的を達成するため、本発明が提供する画素アレイは、複数の表示媒体モジュールを含み、該表示媒体モジュールが共用する能動スイッチング素子を駆動する。該表示媒体モジュールは、少なくとも１対の電極を含み、該対電極は、第１電極、第２電極及び表示媒体を含み、該第１電極及び該第２電極は、互いに仕切られ、該表示媒体は、該第１電極及び第２電極の間に設置される。該能動スイッチング素子は、該第１電極に電気接続し、該第１電極及び該第２電極に該表示媒体の状態を変化させることに用いられる。該能動スイッチング素子は、能動スイッチング素子基板部及びトランジスタ部を含み、該トランジスタ部は、該能動スイッチング素子基板部上に直接形成される。
【００１３】
上記目的を達成するため、本発明が提供するマルチメディア装置は、上記の画素アレイ、マルチメディア基板及び磁性基板を含む。該画素アレイは、それぞれ該マルチメディア基板上に取り付けられ、該マルチメディア基板に複数の磁性誘導部（導電回路パターン）を形成でき、その下表面に複数のキャビティ部を形成し、該キャビティ部は、該磁性誘導部の下方に相対して位置する。また、該磁性誘導部は、該画素アレイの能動スイッチング素子に電気接続し、該磁性誘導部の電流の大きさ、速さ及び方向等を制御することに用いられる。
該マルチメディア基板及び該磁性基板の間に大きさ、速度の異なる吸引又は反発の作用力を発生し、該磁性基板及び／又は該マルチメディア基板を振動し、異なる音声周波数の音声を発生し、且つ／又は該画素アレイが表示するイメージを組み合わせ、マルチメディア装置となるようにさせる。
【００１４】
上記目的を達成する為、本発明が提供する画素ユニットの製造方法は、表示媒体モジュール及び能動スイッチング素子をそれぞれ製造する工程と、該能動スイッチング素子を該表示媒体モジュールに取り付ける工程と、を含み、該表示媒体モジュールは、第１電極、第２電極及び表示媒体を含み、該第１電極及び該第２電極は、互いに仕切られ、該表示媒体は、該第１電極及び該第２電極の間に設置される。
該能動スイッチング素子は、能動スイッチング素子基板部及びトランジスタ部を含み、該トランジスタ部は、該能動スイッチング素子基板部上に直接形成され、且つ該能動スイッチング素子は、該第１電極に電気接続し、該第１電極及び該第２電極に該表示媒体の状態を変化させることに用いられる。
【００１５】
上記目的を達成する為、本発明が提供する画素アレイの製造方法は、複数の表示媒体モジュール及び能動スイッチング素子をそれぞれ製造する工程と、該能動スイッチング素子を該表示媒体モジュールに取り付ける工程と、を含み、該表示媒体モジュールは、第１電極、第２電極及び表示媒体を含み、該第１電極及び該第２電極は、互いに仕切られ、該表示媒体は、該第１電極及び該第２電極の間に設置される。該能動スイッチング素子は、能動スイッチング素子基板部及びトランジスタ部を含み、該トランジスタ部は、該能動スイッチング素子基板部上に直接形成され、且つ該能動スイッチング素子は、該第１電極に電気接続し、該第１電極及び該第２電極に該表示媒体の状態を変化させることに用いられる。
【００１６】
上記目的を達成する為、本発明が提供するマルチメディア装置の製造方法は、それぞれ複数の画素アレイ、磁性基板及びマルチメディア基板を製造し、該画素アレイは、それぞれ該マルチメディア基板に取り付けられることができ、該マルチメディア基板に複数の磁性誘導部を形成し、その下表面に複数のキャビティ部を形成することができ、該キャビティ部は、該磁性誘導部下方に相対して位置する。該磁性誘導部は、該画素アレイの能動スイッチング素子に電気接続でき、該磁性誘導部の電流の大きさ、速さ及び方向等を制御することに用いられる。
該画素アレイ基板及び該磁性基板の間に大きさ、速さが異なる吸引又は反発の作用力を発生させ、該磁性基板及び／又は該画素アレイ基板を振動し、異なる音声周波数の音声を発生し、且つ／又は該画素アレイが表示するイメージを組み合わせ、マルチメディア装置となるようにさせる。
【発明の効果】
【００１７】
一方で、本発明が開示する画素ユニット及び画素アレイは、単独で着脱可能に取り付けできる。マルチメディア装置の表示部は、複数の画素ユニット及び／又は画素アレイにより構成される時、そのうちのある１つの画素ユニット又は画素アレイが損壊又は表示輝度、色彩、コントラスト、反応速度等の品質上に差異がある時、直接取り外して、機能が正常な画素ユニット又は画素アレイに公館でき、１つの画素ユニット又は画素アレイの損壊又は品質の差異により全てのマルチメディア装置を交換する必要がない。
【００１８】
これにより、本発明が開示する画素ユニット、画素アレイ、マルチメディア装置及びその製造方法は、少なくとも以下の有益効果を提供する。画素ユニットの能動スイッチング素子は、先に製造を行った後、該画素ユニットの表示媒体モジュール中に組み付け、言い換えれば、該能動スイッチング素子は、該表示媒体モジュールの一部分上に直接的に製造されるのではなく、各能動スイッチング素子基板上に分けて製造されるものである。また、該能動スイッチング素子のプロセス条件は、該表示媒体モジュール及び／又基板自身の特性（例えば、材料の性質）により制限されない。
また、該能動スイッチング素子は、その他の機能（例えば、センシング、イメージ取得、記憶、制御、磁場センシング、信号伝送等）的トランジスタを該能動スイッチング素子基板に柔軟に統合することができ、能動スイッチング素子上のトランジスタ特性を最適化し、トランジスタの均等性及び機能を高め、製造コスト及び生産工程等を低減し、多層表示及び多面表示等の多機能及び高性能のマルチメディア装置を達成する。
【図面の簡単な説明】
【００１９】
【図１】従来の画素ユニットの俯瞰図である。
【図２Ａ】本発明の第１好適実施例における画素ユニットの俯瞰図である。
【図２Ｂ】本発明の第１好適実施例により構築される画素ユニットの断面戦Ａ−Ａ’に沿った断面図である。
【図２Ｃ】本発明の第１好適実施例により構築される画素ユニットの断面戦Ａ−Ａ’に沿った断面図である。
【図２Ｄ】本発明の第１好適実施例により構築される画素ユニットの断面戦Ａ−Ａ’に沿った断面図である。
【図２Ｅ】本発明の第１好適実施例により構築される画素ユニットの断面戦Ａ−Ａ’に沿った断面図である。
【図２Ｆ】本発明の第１好適実施例により構築される画素ユニットの断面戦Ａ−Ａ’に沿った断面図である。
【図３Ａ】本発明の第２好適実施例のもう１つの画素ユニットの断面図である。
【図３Ｂ】本発明の第２好適実施例のもう１つの画素ユニットの断面図である。
【図３Ｃ】本発明の第２好適実施例のもう１つの画素ユニットの断面図である。
【図４Ａ】本発明の第３好適実施例における画素ユニットの断面図である。
【図４Ｂ】本発明の第３好適実施例における画素ユニットの断面図である。
【図４Ｃ】本発明の第３好適実施例における画素ユニットの断面図である。
【図５】本発明の第４好適実施例における画素ユニットの断面図である。
【図６】本発明の第５好適実施例における画素ユニットの図８の断面線Ｂ−Ｂ’に沿った断面図である。
【図７】本発明の第６好適実施例における画素ユニットの断面図である。
【図８】本発明の第７好適実施例におけるマルチメディア装置の俯瞰図である。
【図９Ａ】本発明の第７好適実施例におけるマルチメディア装置の断面線Ｃ−Ｃ’に沿った断面図である。
【図９Ｂ】本発明の第７好適実施例におけるマルチメディア装置の断面線Ｃ−Ｃ’に沿った断面図である。
【図１０Ａ】本発明の第７好適実施例のもう１つのマルチメディア装置の断面図である。
【図１０Ｂ】本発明の第７好適実施例のもう１つのマルチメディア装置の断面図である。
【図１１】本発明の第８好適実施例におけるマルチメディア装置の断面図である。
【図１２】本発明の第９好適実施例における画素ユニットの製造方法のフロー図である。
【図１３】本発明の第１０好適実施例における画素ユニットの製造方法のフロー図である。
【図１４】本発明の第１１好適実施例における画素ユニットの製造方法のフロー図である。
【発明を実施するための形態】
【００２０】
上記目的、技術特徴及び利点を分かり易くするため、以下に好適実施例に図面を合わせて詳細に説明する。
【００２１】
以下に１つ又は複数の実施例により本発明の実施方式を更に説明するが、以下に記載する１つ又は複数の実施例は、本発明が前記の環境、応用、構造、フロー又は工程においてのみ実施できることに制限するものではない。各図面において、本発明と直接関連しない部材は、何れも省略している。図面において、各部材の間の寸法の関係は、ただ本発明を説明し易くするためのものであり、本発明の実際の割合を制限することに用いるのではない。特別に説明する場合以外、以下の内容において、同一（又は近似）の部材符号は、同一（又は近似）の部材に対応する。
【００２２】
図２Ａを参照し、本発明の第１好適実施例における画素ユニット１ＰＵの俯瞰図である。該画素ユニット１ＰＵは、表示機能を有するマルチメディア装置（図示せず）の一部分であり、イメージの画素部分を表示することができる。言い換えれば、表示機能装置は、１つ又は複数の本実施例の該画素ユニット１ＰＵを含むことができる。該画素ユニット１ＰＵは、能動スイッチング素子１１６及び表示媒体モジュール１Ｕ等の部材を含み、該能動スイッチング素子１１６は、表示媒体モジュール１Ｕの状態を制御することに用いられ、更に、光線が表示媒体モジュール１Ｕを通過する光通過量を制御する（又は光線の性質等を変調する）。更に具体的な技術内容を以下に説明する。
【００２３】
図２Ｂ及び図２Ｆを合わせて参照し、それは、図２Ａの画素ユニット１ＰＵの断面線Ａ−Ａ’に沿った異なる構造の断面図である。該能動スイッチング素子１１６は、能動スイッチング素子基板部１６６Ｓ及びトランジスタ部１６６Ｔを含み、該トランジスタ部１６６Ｔは、能動スイッチング素子基板部１６６Ｓ上に形成される。即ち、該トランジスタ部１６６Ｔは、能動スイッチング素子基板（図示せず）の一部分であり、該能動スイッチング素子基板は、ガラス、シリコンウエハ、絶縁体シリコン（ＳＯＩ）、ゲルマニウム、セレン、III−V族化合物、II−VI族化合物、IV−IV族化合物、IV−IV族合金、アモルファスシリコン、ヒ化ガリウム、サファイア、リン化インジウム、窒化ガリウム、有機柔軟性、石英、金属、金属酸化物、無機物、およびそれらの組み合わせであることができる。（以下で図示するものは、何れもシリコンウエハを例とする）該トランジスタ部１６６Ｔは、一連の半導体プロセス（露光、現像、エッチング、拡散、沈積、イオン植入、洗浄、検査等のプロセスステップ）を経た後、該能動スイッチング素子基板に形成される。能動スイッチング素子基板上には、複数の該トランジスタ部１６６Ｔを同時に形成することができ、その後、切断プロセスを経て能動スイッチング素子基板をそれぞれ複数の部分に分け（各部分は、１つ以上の該トランジスタ部１６６Ｔを含むことができる）、各部分は、上記能動スイッチング素子１１６である。能動スイッチング素子１１６は、チップ又は結晶粒であるとみなすこともできる。
【００２４】
また、該能動スイッチング素子１６６は、複数のトランジスタ１６６Ｃ及び複数の電極１６６Ｅを更に含み、該能動スイッチング素子基板１６６Ｓ及び／又は該トランジスタ部１６６Ｔの上／下表面、及び／又はその中のものに形成され、それぞれ該トランジスタ部１６６Ｔのソース、ゲート及びドレインに電気接続することができる。能動スイッチング素子１１６は、チップ又はダイとみなすこともできる。
【００２５】
表示媒体モジュール１Ｕは、少なくとも一対の電極を含み、該対電極は、第１電極１０１ＰＥ、第２電極１０２ＲＥ及び表示媒体１０５を含み、第１電極１０１ＰＥ及び第２電極１０２ＲＥは、互いに仕切られ、且つ互いに向き合うことができ、その後、表示媒体１０５は、第１電極１０１ＰＥ及び第２電極１０２ＲＥの間に設置される。
第１電極１０１ＰＥ及び第２電極１０２ＲＥは、画素電極及び画素対応電極と称することもでき、且つ非透明、部分透明及び／又は透明電極であることができる（例えば、金属酸化物、ナノ銀線、導電性ポリマー、カーボンナノチューブ及びグラフェン等により形成される）。第１電極１０１ＰＥ及び第２電極１０２ＲＥは、電気エネルギーを加えることによって第１電極１０１ＰＥ及び第２電極１０２ＲＥの間の電圧、電流、インダクタンス、容量、電界、磁界及びその組み合わせのうちの何れかの大きさ及び／又は方向を変化させることができる。
【００２６】
第１電極１０１ＰＥは、更に、能動スイッチング素子１１６（例えば、能動スイッチング素子１１６及び／又は別途設置される導電体１１８）と電気接続することができ、能動スイッチング素子１１６によって可控制電能是否被施予至第１電極１０１ＰＥ及び／又は第２電極１０２ＲＥに電気エネルギーを施与するかを制御することができる。
【００２７】
表示媒体１０５は、光変調媒体として位置決めでき、それ自身の状態は、第１電極１０１ＰＥ及び第２電極１０２ＲＥによって変化させることができ、更に、光線が通過する量を制御する（又は光線の性質を調整する）。具体的には、能動スイッチング素子１１６は、電気エネルギーを第１電極１０１ＰＥ及び／又は第２電極１０２ＲＥに施与するよう制御し、第１電極１０１ＰＥ及び第２電極１０２ＲＥの間の電圧、電流及び電界等に変化を発生させ、表示媒体１０５の状態を変化させる。非自発媒体材料の液晶を表示媒体１０５とすることを例とし、表示媒体１０５の状態の変化は、液晶分子の再ねじれ配列を表す。
自発光媒体材料の有機発光ダイオードを表示媒体１０５とすることを例とし、表示媒体１０５の状態の変化は、別途加えられた電界の大きさによりキャリアを移動して電子と正孔キャリアの再結合の現象を発生させ、光線の強さおよび色を生成する。別途加える電界の大きさによりキャリア有機発光ダイオードが光線を発生することを表す。表示媒体１０５の種類は、第１電極１０１ＰＥ及び第２電極１０２ＲＥの配置と関連し、例えば、表示媒体１０５が平面転換式液晶（In-Plane-Switching Liquid Crystal）である時、第１電極１０１ＰＥ及び第２電極１０２ＲＥは、同一平面上に配列することができる。
【００２８】
非自発光媒体材料又は自発光媒体材料以外に、その他の実施例において、表示媒体１０５は、更に、光学フィルタリング材料、導電材料、絶縁材料、光吸収材料、光反射材料、光屈折材料、偏光材料、光拡散材料のうちの少なくとも１つを含むことができる（上記材料は、後述の第１基板１０１ＰＳ及び／又は第２基板１０２ＲＳ上に形成するか、１つの板体に構成した後、第１基板１０１ＰＳ及び／又は第２基板１０２ＲＳに設置することができる）。
そのうち、非自発光媒体材料は、電気泳動式、電動流体、液晶、微小電気機械反射体（microelectromechanical reflective material）、エレクトロウェッティング、電子インク、磁性流体、エレクトロクロミック、電気的相変化、熱誘起変色のうちの少なくとも１つを含むことができる。自発光媒体材料は、エレクトロルミネセント材料、フォトルミネッセンス材料、陰極発光材料、電界放出発光物質、蛍光材料、発光ダイオードのうち少なくとも１つを含むことができ、白、赤、緑、青、橙、紫、黄色またはその組み合わせ等の色を発生する。
【００２９】
表示媒体モジュール１Ｕは、更に、第１基板１０１ＰＳ及び／又は第２基板１０２ＲＳを含むことができ、第１基板１０１ＰＳ及び第２基板１０２ＲＳは、互いに向き合って仕切られ、且つ第１電極１０１ＰＥ、第２電極１０２ＲＥ及び／又は表示媒体１０５を支持することに用いられる。第１電極１０１ＰＥは、第１基板１０１ＰＳ上に設置されることができ、第２電極１０２ＲＥは、第１基板１０１ＰＳ及び／又は第２基板１０２ＲＳ上に設置されることができ（表示媒体１０５のタイプによって決定する）、表示媒体１０５は、第１基板１０１ＰＳ及び第２基板１０２ＲＳの間に設置されることができる（又は、表示媒体モジュール１Ｕが第１基板１０１ＰＳ及び第２基板１０２ＲＳのうち１つのみを含む時、表示媒体１０５は、於第１基板１０１ＰＳ又は第２基板１０２ＲＳ上に設置されることができる）。
能動スイッチング素子１１６は、第１基板１０１ＰＳ及び／又は第２基板１０２ＲＳに取り付けられることができるが、第１基板１０１ＰＳ及び／又は第２基板１０２ＲＳ上に直接的に製造されるものではない。即ち、能動スイッチング素子１１６は、先行して独立して分けて製造完成した後、第１基板１０１ＰＳ及び／又は第２基板１０２ＲＳ上に組み付けられる。また、能動スイッチング素子１１６は、第１基板１０１ＰＳ及び／又は第２基板１０２ＲＳの上下表面、内部、凹溝１０９ＧＶ、貫通孔１０９ＴＶ及びその組み合わせの何れか１つに設けることができ、従って、第１電極１０１ＰＥの画素開口率は、能動スイッチング素子１１６の圧縮を比較的受けることがない。
【００３０】
第１基板１０１ＰＳ、第２基板１０２ＲＳ、第１電極１０１ＰＥ及び／又は第２電極１０２ＲＥは、以下の材料に製作されることができる（これに制限するものではない）。光透過材料、非光透過材料、剛性材料、金属材料、セラミック材料、絶縁材料、金属化合物、金属合金、有機材料、無機材料、複合材料、半導体材料及びその組み合わせの何れかである。本実施例において、第１基板１０１ＰＳ及び第２基板１０２ＲＳは、光透過材料（ガラス等）で製造される。
【００３１】
上記の可撓性材料は、ポリエチレンナフタレートプラスチック（ＰＥＮ）、ポリ塩化ビニルプラスチック、ポリエーテルスルホンプラスチック（ＰＥＳ）、ポリエチレンテレフタレートプラスチック（ＰＥＴ）、ポリアリレートプラスチック（ＰＡＲ）、ポリスチレンプラスチック、ポリカーボネート（ＰＣ）、ポリイミド（ＰＩ）、ポリメチルメタクリレート（ＰＭＭＡ）、ポリアクリロニトリルプラスチック、ポリアミドプラスチック、超薄可撓性ガラス、超薄金属基板及びその組み合わせの何れかである。
【００３２】
該画素ユニット１ＰＵは、第１基板１０１ＰＳ及び／又は第２基板１０２ＲＳ表面又はその中に形成されることができる制御信号線１Ｇ及びデータ信号線１Ｄを含むことができ、能動スイッチング素子１１６に電気接続する（例えば、能動スイッチング素子１１６の電極１１６Ｅによる）。制御信号線１Ｇは、能動スイッチング素子１１６のオン又はオフを制御することができ、データ信号線１Ｄによって、選択的に電気エネルギーを（即ち、画素の内容は、電圧又は電流等の形式で表示される）能動スイッチング素子１１６に伝送し、第１電極１０１ＰＥに与える。制御信号線１Ｇ、データ信号線１Ｄ、第１電極１０１ＰＥ及び／又は第２電極１０２ＲＥは、第１基板１０１ＰＳ及び／又は第２基板１０２ＲＳの同一の水平層又は異なる水平層中に位置することができる。
【００３３】
また、制御信号線１Ｇ、データ信号線１Ｄ、第１電極１０１ＰＥ及び／又は第２電極１０２ＲＥは、下記材料で製造できる（これに制限するものではない）。光透過導電材料、非光透過導電材料、可撓性導電材料、剛性導電材料、金属導電材料、金属化合物、金属合金、有機導電材料、無機導電材料、及び複合導電材料及びその組み合わせの何れかである。
【００３４】
上記説明から分かるように、能動スイッチング素子１１６は、能動スイッチング素子基板から製造され、表示媒体モジュール１Ｕの某部分上に直接製造されるのではなく、故に能動スイッチング素子１１６の製造は、表示媒体モジュール１Ｕ自身の特性の制限を受けることがない。また、能動スイッチング素子１１６が製造過程で最適化を行うことができ、且つプロセス技術は比較的成熟しているので、製造される能動スイッチング素子１１６は、比較的良好な特性を有することができる（例えば、臨界電圧、電流駆動能力等の各項の均一性）。
【００３５】
また、説明すべきこととして、上記の表示機能を有するマルチメディア装置は、複数の画素ユニット１ＰＵを含むことができ、この種の態様である時、該画素ユニット１ＰＵの表示媒体モジュール１Ｕの第１基板１０１ＰＳは、一体に連なったものであることができ、第２基板１０２ＲＳも一体に連なったものであることができる。第１電極１０１ＰＥ及び第２電極１０２ＲＥの何れかが一体に連なったものであり、画素対応電極とすることもできる。
【００３６】
以上は、本実施例の画素ユニット１ＰＵの技術内容を説明しており、続いて、本発明のその他の実施例における画素ユニットの技術内容を説明し、各実施例の画素ユニットの技術内容は、互いに参考することができ、故に同一の部分は、省略又は簡易化する。
【００３７】
図３Ａ〜図３Ｃを参照し、それは、本発明の第２好適実施例における画素ユニット１ＦＰＵの断面図である。画素ユニット１ＦＰＵは、画素ユニット１ＰＵと相似し、何れも能動スイッチング素子１１６及び表示媒体モジュール１Ｕを含み、画素ユニット１ＦＰＵは、１つ又は複数の機能素子１５１を更に含む（本実施例において、複数を冷やすとする）。
【００３８】
該機能素子１５１は、それぞれ特定機能を有する電子素子であり、例えば、以下である（これに制限するものではない）。タッチセンシング機能素子、変位センシング機能素子、圧力センシング機能素子、温度湿度センシング機能素子、音波センシング機能素子、電磁波センシング機能素子、イメージ取得機能素子、メモリ機能素子、制御機能素子、無線通信機能素子、自発光機能素子、受動素子（コイル、抵抗、コンデンサ又はその組み合わせ）及び太陽光発電素子のうちの何れかである。
【００３９】
画素ユニット１ＦＰＵ又は１つ又は複数の光学素子１５５を含むことができ、それは、位置上、光学関連の機能素子１５１（例えば、イメージ取得機能素子）と対応する。該光学素子１５５は、凸レンズ、凹レンズ及び光学プリズムのうちの少なくとも１つを含み、環境光線の方向を変化させて機能素子１５１により受けさせることができる。
【００４０】
そのうち、タッチセンシング機能素子は、光センシング素子、圧電センシング素子、容量センシング素子、抵抗センシング素子、インダクタンスセンシング素子、電磁センシング素子、電荷センシング素子、電圧センシング素子、電流センシング素子、圧力センシング素子及び音波センシング素子のうちの何れかである。
【００４１】
該機能素子１５１は、表示媒体モジュール１Ｕの第１基板１０１ＰＳ、第２基板１０２ＲＳ上に取り付けられることができ、及び／又は画素ユニットのキャリアボード１ＦＰＵＳに設置されるが、表示媒体モジュール１Ｕの某一部分から直接的に形成されるのではない。言い換えれば、機能素子１５１は、先ず製造した後、表示媒体モジュール１Ｕに組み付けられる。
従って、機能素子１５１の製造は、表示媒体モジュール１Ｕ自身の特性の制限を受けることがない。機能素子１５１は、能動スイッチング素子１１６、制御信号線１Ｇ又はデータ信号線１Ｄと電気接続でき（又は画素ユニット１ＦＰＵがその他の信号線又は電極を含み、機能素子１５１に電気接続する）、これにより、機能素子１５１を制御し、機能素子１５１により制御され、信号を機能素子１５１に伝送するか、機能素子１５１から信号を受信する等の機能を達成する。
【００４２】
機能素子１５１により、画素ユニット１ＦＰＵは、イメージ表示以外のその他の機能を提供することができ（表示、タッチ、センシング、撮影、伝送データ、発電等）、例えば、イメージ取得機能素子は、画素ユニット１ＦＰＵにイメージの一部分を取得させ、メモリ機能素子は、画素媒体１０５の状態を記録するか、機能素子１５１自身のデータを記録することができ、制御機能素子は、能動スイッチング素子１１６を制御することができ、無線通信機能素子は、画素内容又は各機能素子のデータを直接無線伝送し、且つマルチメディア装置の無線制御モジュール３３にデータを無線伝送でき（後述の実施例において更に説明する）、太陽光発電機能素子は、環境光線を電気エネルギー等に変換することができる。
【００４３】
図３Ｂを参照し、それは、本発明の第２好適実施例における画素ユニット１ＦＰＵのもう１つの断面図である。画素ユニット１ＦＰＵは、パッケージキャリア１１６ＰＫＵを選択的に更に含むことができ、能動スイッチング素子１１６及び／又は機能素子１５１は、パッケージキャリア１１６ＰＫＵにパッケージングし、それから表示媒体モジュール１Ｕに組み付けることができる。即ち、能動スイッチング素子１１６又は機能素子１５１は、能動スイッチング素子基板上に製造完成後、パッケージキャリア１１６ＰＫＵにより覆われた後又は直接画素ユニット１ＦＰＵＳのキャリアボードによって表示媒体モジュール１Ｕに組み付けることができる。
能動スイッチング素子１１６及び機能素子１５１は、同一の能動スイッチング素子基板（又は異なる能動スイッチング素子基板）上に製造後、共にパッケージキャリア１１６ＰＫＵによりパッケージングされることができる。パッケージキャリア１１６ＰＫＵは、能動スイッチング素子１１６及び機能素子１５１を保護することができ、且つ表示媒体モジュール１Ｕに組み付ける作業を更に容易にすることができる。
【００４４】
パッケージキャリア１１６ＰＫＵの製造材料は、以下を含むことができる（これに制限するものではない）。半導体材料、導電材料、絶縁材料、有機材料、無機材料、金属材料、金属合金材料、セラミック材料、複合材料、光透過材料、非光透過材料、可撓性材料、剛性材料、非金属材料及びその組み合わせの何れかである。パッケージキャリア１１６ＰＫＵは、基板１１６ＰＫＳ、導電回路、導電接続パッド１１６ＰＫＳＣ、導電体接続柱１１６ＰＫＳＩＣ、導電接続凸ブロック、導電接続点、絶縁媒体層、絶縁媒体、接着媒体、接続導線又はその組み合わせを含むことができる。
【００４５】
図４Ａ〜図４Ｃを参照し、それは、本発明の第３実施例の画素ユニット１Ｔ１２ＰＵの断面図である。画素ユニット１Ｔ１２ＰＵは、画素ユニット１ＰＵと相似し、何れも能動スイッチング素子１１６を含む以外に、更に複数の表示媒体を有する表示媒体モジュール１Ｔ１２Ｕ（２つの表示媒体のみを例として図示する）、キャリアボード１１２ＦＰＵＳを含み、画素ユニット共用基板１１２ＰＣＳ及び／又は画素対応共用基板１１２ＲＣＳを組み合わせることができる。また、画素ユニット１Ｔ１２ＰＵの第１基板１０１ＰＳ、画素ユニット共用基板１１２ＰＣＳ、画素対応共用基板１１２ＲＣＳ及び／又は第２基板１０２ＲＳは、貫通孔１０９ＴＶ及び／又は凹溝１０９ＧＶを含むことができる。
【００４６】
具体的には、キャリアボード１１２ＦＰＵＳは、表示媒体モジュール１Ｔ１２Ｕをその上に設置させることができ、且つ能動スイッチング素子１１６は、キャリアボード１１２ＦＰＵＳ上に取り付けることができる。キャリアボード１１２ＦＰＵＳは、更に、ライン導電パッド１１２ＦＰＵＣ、導電ライン等の素子を含むことができ、表示媒体モジュール１Ｔ１２Ｕ及び能動スイッチング素子１１６を相互に電気接続させる。制御信号線１Ｇ及びデータ信号線１Ｄも、キャリアボード１１２ＦＰＵＳに形成されることができ、能動スイッチング素子１１６に電気接続する。
【００４７】
一方で、キャリアボード１１２ＦＰＵＳは、更に、凹溝１０９ＧＶ（又は貫通孔１０９ＴＶ）を含むことができる。表示媒体モジュール１Ｔ１２Ｕの第１基板１０１ＰＳ、画素ユニット共用基板１１２ＰＣＳ、画素対応共用基板１１２ＲＣＳ及び／又は第２基板１０２ＲＳは、貫通孔１０９ＴＶを含むことができ、それから、能動スイッチング素子１１６は、凹溝１０９ＧＶに取り付けることができ、更に、貫通孔１０９ＴＶに設置される導電体１１８により、第１電極１０１ＰＥ、画素ユニット共用基板１１２ＰＣＳ、画素対応共用基板１１２ＲＣＳ及び／又は第２電極１０２ＲＥに電気接続する。キャリアボード１１２ＦＰＵＳのうちの該凹溝１０９ＧＶは、更に、側壁絶縁層、導電ライン、導電パッド、導電体、絶縁媒体又はその組み合わせを含むことができ、能動スイッチング素子１１６をその他の素子と電気接続するか、隔離させることができる。基板１１２ＦＰＵＳの設置により、画素ユニット１Ｔ１２ＰＵの各素子の間の電気接続レイアウトは、比較的容易であることができ、特に画素ユニット１Ｔ１２ＰＵは、複数の機能素子を含む時（図示せず）は、顕著である。
【００４８】
図５を参照し、それは、本発明の第４好適実施例の画素ユニット２Ｔ１２ＰＵの断面図である。画素ユニット２Ｔ１２ＰＵ（２つの画素表示媒体を例として図示する）は、画素ユニット１Ｔ１２ＰＵと相似するが、画素ユニット２Ｔ１２ＰＵの能動スイッチング素子１１６のうちのトランジスタ１６６Ｔは、分離されて独立した２つのトランジスタスイッチング素子を有することができ、同期又は非同期に各画素電極の内容をそれぞれ制御することができる。
【００４９】
画素ユニット２Ｔ１２ＰＵは、前述の画素ユニット１Ｔ１２ＰＵと相似し、更に、光学素子２５５を含むことができ、それは、表示媒体モジュール２Ｔ１２Ｕ又は上述の表示媒体モジュール１Ｔ１２Ｕに形成されることができる。例えば、第１電極１１５ＰＥ、第１電極１０１ＰＥ、画素ユニット共用電極１１２ＰＣＥ、画素対応共用基板１１２ＲＣＥ及び／又は第２電極１０２ＲＥに形成され（又は、第１電極１１５ＰＥ、第１電極１０１ＰＥ、画素ユニット共用電極１１２ＰＣＥ、画素対応共用基板１１２ＲＣＥ及び／又は第２電極１０２ＲＥを直接光学素子２５５に構成する）、且つ表示媒体モジュール２Ｔ１２Ｕ又は前述の表示媒体モジュール１Ｔ１２Ｕと相互に光学的に結合することができる。
このように、光学素子２５５は、環境光線が表示媒体モジュール２Ｔ１２Ｕ及び／又は１Ｔ１２Ｕに入るように誘導でき、表示媒体１０５及び／又は表示媒体１１５により該環境光線が表示媒体モジュール２Ｔ１２Ｕ又は１Ｔ１２Ｕに入る量又は特性を制御することができる。環境光線が十分である時、画素ユニット２Ｔ１２Ｕ及び／又は１Ｔ１２Ｕは、環境光線を直接利用してイメージ画素表示又は光線の調整のＵ機能を達成することができる。該光学素子２５５は、凸レンズ、凹レンズ及び光学プリズムの何れかを含むことができる。
【００５０】
図６を参照し、それは、本発明の第５好適実施例の画素アレイ１２２ＰＡＵ（図８参照）の断面線Ｂ−Ｂ’の断面図である。画素アレイ１２２ＰＡＵは、複数の画素ユニットを含み、上述の画素ユニット１Ｔ１２ＰＵ、２Ｔ１２ＰＵ、１ＦＰＵ  、１ＰＵ等と相似し、何れも能動スイッチング素子１１６を含み、更に、複数の画素ユニット及び表示媒体の表示媒体モジュール１２２Ｕ（２つの画素ユニット及び表示媒体のみを例として図示する）、画素アレイ基板１２２ＰＡＳ、画素アレイ共用基板１１２ＰＡＣＳ及び／又は画素対応共用基板（図示せず）を含む。また、画素アレイ１２２ＰＡＵの能動スイッチング素子１１６のトランジスタ部１６６は、分離して独立した２つのトランジスタスイッチングを有し、各画素ユニットの表示媒体をそれぞれ制御する（同期又は非同期に各画素電極及び／又は画素ユニット共用電極の内容をそれぞれ制御する）。
【００５１】
具体的には、画素アレイキャリアボード１２２ＰＡＳは、表示媒体モジュール１２２Ｕをその上に設置させることができ、且能動スイッチング素子１１６は、画素アレイキャリアボード１２２ＰＡＳ上に取り付けられることができる。画素アレイキャリアボード１２２ＰＡＳは、更に、ライン導電パッド１２２ＰＡＳＣ、導電ライン、制御信号線１Ｇ及びデータ信号線１Ｄ等の素子を含み、表示媒体モジュール１２２Ｕ及び能動スイッチング素子１１６を相互に電気接続させる。
【００５２】
一方で、画素アレイキャリアボード１２２ＰＡＳは、凹溝１０９ＧＶ（又は貫通孔）を含むことができ、それから能動スイッチング素子１１６は、凹溝１０９ＧＶに取り付けられることができ、表示媒体モジュール１２２Ｕの第１基板１０１ＰＳ及び／又は第２基板１０２ＲＳに含まれる導電体１１８を嵌合した貫通孔１０９ＴＶによって画素アレイ共用電極１２２ＰＡＣＥ（又は前述の第１電極又は第２電極）に電気接続することができる。画素アレイキャリアボード１２２ＰＡＳの該凹溝１０９ＧＶは、更に、側壁絶縁層、導電ライン、導電パッド、導電体、絶縁媒体又はその組み合わせを含むことができ、能動スイッチング素子１１６をその他の電気接続又は隔離させることができる。画素アレイキャリアボード１２２ＰＡＳの設置により、画素アレイ１２２ＰＡＵの各素子の間の電気接続レイアウトは、比較的容易であることができ、特に、画素アレイ１２２ＰＡＵが前述の複数の機能素子及びパッケージキャリアを含む時は、有線及び／又は無線データ伝送方式に容易に整合でき、同期又は非同期に各画素電極及び／又は画素ユニット共用電極の内容をそれぞれ制御することができる（図示せず）。
【００５３】
図７を参照し、それは、本発明の第６好適実施例における画素アレイ２２２ＰＡＵの断面図である。画素アレイ２２２ＰＡＵは、画素アレイ１２２ＰＡＵは、複数の画素ユニット、画素ユニット１Ｔ１２ＰＵ、２Ｔ１２ＰＵ、１ＦＰＵ  、１ＰＵ等と相似し、何れも能動スイッチング素子１１６を含む以外、更に、多面表示機能を有する画素アレイの表示媒体の表示媒体モジュール２１２Ｕ及び２３４Ｕ（２面の画素アレイのみを例として図示する）、画素アレイ基板２２２ＰＡＳを含み、画素アレイ共用基板２１２ＰＡＣＳ、２３４ＰＡＣＳ及び／又は画素対応共用基板（図示せず）を組み合わせることができる。
また、画素アレイ２２２ＰＡＵの能動スイッチング素子１１６のトランジスタ部１６６は、少なくとも分離して独立した２つのトランジスタスイッチングを有し、各画素アレイの表示媒体の状態をそれぞれ制御することができる（同期又は非同期に各画素電極及び／又は画素ユニット共用電極の内容をそれぞれ制御する）。画素アレイキャリアボード２２２ＰＡＳ及び画素アレイキャリアボード１２２ＰＡＳが提供する機能は相似し、能動スイッチング素子１１６、前述の複数の機能素子及び／又はパッケージキャリア等を整合でき、有線及び／又は無線データ伝送方式で、同期又は非同期に各画素電極及び／又は画素ユニット共用電極の内容をそれぞれ制御することができる（図示せず）。
【００５４】
図８を参照し、それは、本発明の第７好適実施例におけるマルチメディア装置３００ＭＤの俯瞰図である。マルチメディア装置３００ＭＤは、表示及び／又は音声機能を有する装置であることができ、該マルチメディア装置３００ＭＤは、上述の画素アレイ１２２ＰＡＵ、マルチメディア基板３００ＭＤＳ及び磁性基板３００ＭＭＳを含む。そのうち、該画素アレイ１２２ＰＡＵは、それぞれ該マルチメディア基板３００ＭＤＳ上に取り付けられ、該上述の画素アレイ１２２ＰＡＵは、能動スイッチング素子１１６を含み、更に複数の画素ユニット及び表示媒体を有する表示媒体モジュール１２２Ｕを含む（２つの画素ユニット及び表示媒体のみを例として図示する）。また、該マルチメディア基板３００ＭＤＳ中に複数の磁性誘導部３００ＭＧＬ（導電ループパターン）を形成でき、該マルチメディア基板３００ＭＤＳ下表面に少なくとも１つのキャビティ部３００ＭＤＶを形成し、該キャビティ部３００ＭＤＶは、相対して該磁性誘導部３００ＭＧＬ下方に位置する。
また、該磁性誘導部３００ＭＧＬは、該画素アレイ１２２ＰＡＵの能動スイッチング素子１１６に電気接続し、該磁性誘導部３００ＭＧＬの電流の大きさ、速さ及び方向等を制御することに用いられ、マルチメディア基板３００ＭＤＳ及び該磁性基板３００ＭＭＳの間に大きさ、速さの異なる吸引又は反発の作用力を発生させ、該磁性基板３００ＭＭＳ及び／又は該マルチメディア基板３００ＭＤＳに異なる音声周波数の音声の振動を発生させ、該画素アレイ１２２ＰＡＵが表示するイメージ画素を組み合わせてスピーカ機能を有し且つ軽薄化されたマルチメディア基板とすることができる。
【００５５】
図９Ａ及び図９Ｂを参照し、それは、図８の本発明における第７好適実施例のマルチメディア装置３００ＭＤ（図８参考）の断面線Ｃ−Ｃ’に沿った断面図である。該マルチメディア装置３００ＭＤは、複数の画素アレイ１２２ＰＡＵ、マルチメディア基板３００ＭＤＳ及び磁性基板３００ＭＭＳを含む。マルチメディア基板３００ＭＤＳは、凹溝１０９ＧＶ（又は貫通孔）、磁性誘導部３００ＭＧＬ、導電ライン３００ＭＩＣ、ライン導電パッド３００ＭＤＣ、導電柱、導電凸ブロック、導電接続点、絶縁媒体、接着媒体又はそれらの組み合わせのうち１つを含むことができ（一部の素子は図示せず）、マルチメディア基板３００ＭＤＳ上の前述の各種素子により、画素アレイ１２２ＰＡＵの各素子の間の電気接続レイアウトを比較的に簡単にすることができ、特に、画素アレイ１２２ＰＡＵが複数の機能素子を含む時は、顕著である。
そのうち、該画素アレイ１２２ＰＡＵは、それぞれ該マルチメディア基板３００ＭＤＳの凹溝１０９ＧＶ中に取り付けることができ、該画素アレイ１２２ＰＡＵは、独立して着脱可能に配置でき、即ち、各画素アレイ１２２ＰＡＵと他の画素アレイ１２２ＰＡＵの両者は、如何なる素子も一体に連なっておらず、故に各画素アレイ１２２ＰＡＵは、単独で該マルチメディア装置３００ＭＤから取り外すことができる。従って、ある１つの画素アレイ１２２ＰＡＵが損壊した時、それを取り外すことができ、それから、正常な画素アレイ１２２ＰＡＵに交換でき、マルチメディア装置３００ＭＤ全体を交換する必要がない。
【００５６】
更に説明することは、図９Ｂのマルチメディア装置３００ＭＤは、複数の画素アレイ１２２ＰＡＵを含むことができるが、画素アレイ１２２ＰＡＵの表示媒体モジュール１２２Ｕは、画素アレイ中の各画素アレイ共用基板１２２ＰＡＣＳを利用して一体に連なることができ、その他の画素対応共用基板（例えば、第２基板１１５ＲＳ、１０２ＲＳ）及び表示媒体１０５、１１５を組み合わせても一体に連なることもできる。先ず、複数の画素アレイの表示媒体モジュール１２２Ｕを一体に成形し、それから能動スイッチング素子１１６を結合して取り付けることができ、このように、先ず、比較的柔軟性のある表示解析度を有する画素アレイ１２２ＰＡＵを構築した（領域化）後、それから各領域化の画素アレイ１２２ＰＡＵをマルチメディア装置３００ＭＤＳに取り付け、その上野各種導電信号ライン素子に電気接続し、任意の解析度を有することができるマルチメディア装置を完成する。
【００５７】
図１０Ａ及び図１０Ｂを参照し、それは、図８の本発明における第７好適実施例のもう１つのマルチメディア装置３００ＭＤ（図８参照）の断面線’に沿った部分の断面図である。マルチメディア装置３００ＭＤは、実際の応用に基づき、２つの主要部分に分けることができ、マルチメディア表示装置３００ＭＤＤ及びマルチメディアスピーカ装置３００ＭＳＰ等である。マルチメディア表示装置３００ＭＤＤは、マルチメディア装置３００ＭＤと相似し、何れも、上述の複数の画素アレイ１２２ＰＡＵ、マルチメディア基板３００ＭＤＳを含む。そのうち、該画素アレイ１２２ＰＡＵは、それぞれ該マルチメディア基板３００ＭＤＳ上に取り付けられ、該画素アレイ１２２ＰＡＵは、能動スイッチング素子１１６を含み、更に、複数の画素ユニット及び表示媒体を有する表示媒体モジュール１２２Ｕを含む。
マルチメディア基板３００ＭＤＳは、凹溝１０９ＧＶ（又は貫通孔）、ライン導電パッド３００ＭＤＣ、導電柱、導電凸ブロック、導電接続点、導電ライン、絶縁媒体、接着媒体又はそれらの組み合わせの何れかを含む（一部の素子は図示せず）。マルチメディア基板３００ＭＤＳ上の前述の各種素子により、各画素アレイ１２２ＰＡＵの各素子の間の電気接続レイアウトを比較的に簡単にすることができ、特に、画素アレイ１２２ＰＡＵが複数の機能素子を含む時は、顕著である。該画素アレイ１２２ＰＡＵの表示媒体モジュール１２２Ｕは、画素アレイ中の各画素アレイ共用基板１２２ＰＡＣＳを利用して一体に連なり、その他の画素対応共用基板（例えば、第２基板１１５ＲＳ、１０２ＲＳ）及び表示媒体１０５、１１５を組み合わせて一体に連なることができる。また、画素アレイの表示媒体モジュール１２２Ｕを先ず一体に成形した後、能動スイッチング素子１１６を組み合わせて取り付け、このように、先ず柔軟性のある表示解析度を有する画素アレイ１２２ＰＡＵを先に構築した後（領域化）、各領域化された画素アレイ１２２ＰＡＵをマルチメディア装置３００ＭＤＳに取り付け、マルチメディア装置３００ＭＤＳの各種導電信号ライン素子に電気接続し、任意の解析度を有することができるマルチメディア表示装置３００ＭＤＤを完成する。
そのうち、該画素アレイ１２２ＰＡＵは、独立して着脱可能に配置でき、即ち、各画素アレイ１２２ＰＡＵと他の画素アレイ１２２ＰＡＵの両者は、如何なる素子も一体に連なっておらず、故に各画素アレイ１２２ＰＡＵは、単独で該マルチメディア表示装置３００ＭＤＤから取り外すことができる。従って、ある１つの画素アレイ１２２ＰＡＵが損壊した時、それを取り外すことができ、それから、正常な画素アレイ１２２ＰＡＵに交換でき、マルチメディア表示装置３００ＭＤＤ全体を交換する必要がない。
【００５８】
一方で、該マルチメディアスピーカ装置３００ＭＳＰは、マルチメディア装置３００ＭＤと相似し、何れも上述のマルチメディア基板３００ＭＤＳ、能動スイッチング素子１１６及び磁性基板３００ＭＭＳを含む。マルチメディア基板３００ＭＤＳは、凹溝１０９ＧＶ（又は貫通孔）、磁性誘導部３００ＭＧＬ、導電ライン３００ＭＩＣ、ライン導電パッド３００ＭＤＣ、導電柱、導電凸ブロック、導電接続点、絶縁媒体、接着媒体又はそれらの組み合わせの何れかを含むことができる（一部の素子は図示せず）。また、該マルチメディア基板３００ＭＤＳ中に複数の磁性誘導部３００ＭＧＬ（導電ループパターン）を形成でき、該マルチメディア基板３００ＭＤＳ下表面に少なくとも１つのキャビティ部３００ＭＤＶを形成し、該キャビティ部３００ＭＤＶは、相対して該磁性誘導部３００ＭＧＬ下方に位置する。
また、該磁性誘導部３００ＭＧＬは、該能動スイッチング素子１１６（複数の機能性素子を含むことができる）に電気接続でき、該磁性誘導部３００ＭＧＬの電流の大きさ、速さ及び方向等を制御し、マルチメディア基板３００ＭＤＳ及び該磁性基板３００ＭＭＳの間に大きさ、速さの異なる吸引又は反発の作用力を発生させ、該磁性基板３００ＭＭＳ及び／又は該マルチメディア基板３００ＭＤＳに異なる音声周波数の音声の振動を発生させ、軽薄化されたマルチメディアスピーカ装置３００ＭＳＰとなる。
【００５９】
図１１を参照し、それは、本発明の第８好適実施例のもう１つのマルチメディア装置３００ＬＴＭＤ（図８参照）の断面線Ｃ−Ｃ’に沿った断面図である。マルチメディア装置３００ＬＴＭＤは、上述のマルチメディア装置３００ＭＤと相似し、何れも画素アレイ１２２ＰＡＵ、マルチメディア基板３００ＭＤＳ及び磁性基板３００ＭＭＳを含む以外に、更に、信号接続機能を有するマルチメディア信号ライン基板３００ＭＴＳ、及びマルチメディア光源基板３００ＭＬＳを含む。マルチメディア信号ライン基板３００ＭＴＳは、複数の導電ライン３００ＴＩＣ、ライン導電パッド３００ＭＴＳＣ、導電柱、導電凸ブロック、導電接続点、絶縁媒体、接着媒体又はそれらの組み合わせの何れかを含む（一部の素子は図示せず）。マルチメディア光源基板３００ＭＬＳは、導電体３００ＭＬＣは、電気接続機能とすることができ、更に、その他の光学機能を有する構造（例えば、偏光、屈折、反射、拡散、導光、輝度増加又はその組み合わせ等）であることができる。また、該基板上下表面又はその中に発光、感光、導電ライン及び導熱等の機能素子を光源調整の装置として設けることができる（図示せず）。
【００６０】
具体的には、画素アレイ１２２ＰＡＵの全ての表示媒体１０５、１１５等が自発光媒体材料ではない時、マルチメディア装置３００ＬＴＭＤは、更に、光源モジュール６６を含むことができ、それは、画素アレイ１２２ＰＡＵの表示媒体モジュール１２２Ｕの何れか一側（例えば、後側、上下側、前側、左右側）に位置位することができる。また、マルチメディア光源基板３００ＭＬＳを有する導電体３００ＭＬＣ、発光、感光、導電ライン及び導熱等の機能素子又はその組み合わせ等の機能を結合し、電気接続機能及び／又は光線を表示媒体モジュール１２２Ｕに提供する。画素アレイ１２２ＰＡＵの全ての表示媒体１０５、１１５等が自発光媒体材料である時又は環境光線を光源とする時、光源モジュール６６を設置省略するか、それをオフにすることを選択でき（即ち、光源モジュール６６が光線を提供しない）。
或いは、自発光媒体材料の表示媒体１０５、１１５が提供する光線又は環境光線が比較的不足する時、光源モジュール６６は、別途光線を提供するように動作することができる。一方で、マルチメディア基板３００ＭＤＳの凹溝の中に設置する各能動スイッチング素子１１６は、マルチメディア信号ライン基板３００ＭＴＳの上述の各種素子、表示媒体モジュール１２２Ｕの第１基板１０１ＰＳ及び／又は第２基板１０２ＲＳに含まれる導電体１１８を嵌合する貫通孔１０９ＴＶ及びマルチメディア光源基板３００ＭＬＳ中の導電体３００ＭＬＣによって画素アレイ共用電極１２２ＰＡＣＥ（又は前述の第１電極又は第２電極）に電気接続し、各表示媒体モジュール１２２Ｕの表示媒体の状態を制御する。
【００６１】
一方で、上述の全ての画素ユニット、画素アレイ、マルチメディア装置は、無線通信機能を有する機能素子１５１を含むことができ、該功能元件１５１は、無線で、マルチメディア装置３００ＭＤの制御モジュール３３の制御信号およびデータ信号を受け取り、該信号を能動スイッチング素子１１６に伝送する。言い換えれば、制御モジュール３３は、実体導線（例えば、図２Ｂに示す制御信号線１Ｇ及びデータ信号線１Ｄ）によって能動スイッチング素子１１６と電気接続する必要がない。
制御モジュール３３は、無線で能動スイッチング素子１１６を制御でき、表示媒体１０５、１１５、２３５、２４５の状態を制御することができる。また、１つの無線通信機能を有する機能素子１５１は、上述の画素ユニット、画素アレイ、マルチメディア装置の複数の能動スイッチング素子１１６に電気接続でき、故に、機能素子１５１の全体の数量は、能動スイッチング素子１１６の全体の数量より小さくすることができる。能動スイッチング素子１１６の全体の数量は、画素ユニット、画素アレイ、マルチメディア装置の全体の数量よりも小さくすることもできる。
【００６２】
上述の無線通信飯生を有する機能素子１５１は、以下のタイプであることができる（これに制限するものではない）。ＲＦ無線伝送、Ｚｉｇｂｅｅ無線伝送、ブルートゥース(登録商標)通信（Blue-Tooth）、紅外線、ＷｉＦｉ無線伝送、プライベートネットワーク（ＰＡＮ）、ローカルエリアネットワーク（ＬＡＮ）、プライベートエリアネットワーク（ＰＡＮ）、ローカルエリアネットワーク（ＬＡＮ）、近距離無線通信（ＮＦＣ）、無線周波数タグ（ＲＦＩＤ）、グローバル無線通信システム{ＧＳＭ(登録商標）}及びワイマックス（ＷｉＭＡＸ）、ロングラームエボリューション技術（ＬＴＥ）、第五世代無線通信、各種無線通信方法及びその組み合わせの何れかである。
【００６３】
上述全ての異なる構築された画素ユニット、画素アレイ、マルチメディア装置の表示媒体モジュール形状の組み合わせは、以下であることができる（これに制限するものではない）。方形、矩形、扇形、三角形、台形、円形、菱形、長方形、正多辺形、多辺形、不規則形又はその組み合わせの何れかである。上記全ての表示媒体モジュールの各第１電極１０１ＰＥ、第２電極１０２ＲＥ、画素電極及び／又は画素ユニット共用電極の形状の組み合わせは、以下のものであってもよい（これに制限するものではない）。方形、矩形、扇形、三角形、台形、円形、菱形、長方形、正多辺形、多辺形、不規則形又はその組み合わせの何れかである。また、該画素電極上に別途幾何学パターンを設けることもでき（例えば、方形、矩形、扇形、三角形、台形、円形、菱形、長方形、正多辺形、多辺形、不規則形等）、表示媒体の表示効果を増強することができる。
【００６４】
続いて、本発明の画素ユニット、画素アレイ、マルチメディア装置の製造方法及びマルチメディア装置としての応用を説明する。
【００６５】
図１２を参照し、それは、本発明の第９好適実施例における画素ユニットの製造方法のステップフロー図である。該製造方法は、上記実施例の画素ユニット１ＰＵ、１ＦＫＰＵ、１ＦＰＵ、１Ｔ１２ＰＵ及び２Ｔ１２ＰＵと同じ又は類似した１つ又は複数を製造でき、故に製造方法の技術内容は、画素ユニット１ＰＵ、１ＦＫＰＵ、１ＦＰＵ、１Ｔ１２ＰＵ及び２Ｔ１２ＰＵの技術内容と相互に参考することができる。
【００６６】
先ず、ステップＳ６０において、能動スイッチング素子を先に製造し、即ち、画素ユニットの表示媒体モジュールにとって、該能動スイッチング素子は、独立して製造されるものであって、表示媒体モジュール上に直接製造されるものではない。機能素子も先に製造され、且つ能動スイッチング素子と共に同一の能動スイッチング素子基板（又は異なる能動スイッチング素子基板）上に製造されることができ、且つ機能素子及び能動スイッチング素子は、同じ能動スイッチング素子基板部（又は異なる能動スイッチング素子基板部）であることもできる。
【００６７】
それから、ステップＳ６５において、製造が完成した該能動スイッチング素子を表示媒体モジュール中に取り付ける。この時、該表示媒体モジュールは、まだ製造過程中にある可能性があり、例えば、能動スイッチング素子は、表示媒体モジュールの第２基板に取り付けた後、表示媒体、画素ユニット共用電極１１２ＰＣＥ、画素対応共用電極１１２ＲＣＥ及び第１基板は、順に第２基板上設置される。また、ステップＳ６５において、機能素子を合わせて表示媒体モジュール中に取り付けることもできる。
【００６８】
一方で、ステップＳ６５を行う前、製造が完成した該能動スイッチング素子を選択的にパッケージキャリアにパッケージングすることができる（ステップＳ６３）。機能素子は、該パッケージキャリアにパッケージングすることもできる。従って、パッケージキャリアを必要としない時は、ステップＳ６３を省略することができる。
【００６９】
図１３を参照し、それは、本発明の第１０好適実施例における画素アレイの製造方法のステップフロー図である。該製造方法は、上記実施例の画素アレイ１２２ＰＡＵ、２２２ＰＡＵと同じ又は類似した１つ又は複数を製造することができ、故に製造方法の技術内容は、画素アレイ１２２ＰＡＵ、２２２ＰＡＵの技術内容を相互に参考することができる。
【００７０】
先ず、ステップＳ７０において、能動スイッチング素子を先に製造し、即ち、画素アレイの表示媒体モジュールにとって、該能動スイッチング素子は、独立して製造されるものであって、表示媒体モジュール上に直接製造されるものではない。機能素子も先に製造され、且つ能動スイッチング素子と共に同一の能動スイッチング素子基板（又は異なる能動スイッチング素子基板）上に製造されることができ、且つ機能素子及び能動スイッチング素子は、同じ能動スイッチング素子基板部（又は異なる能動スイッチング素子基板部）であることもできる。
【００７１】
それから、ステップＳ７５において、製造が完成した該能動スイッチング素子を表示媒体モジュール中に取り付ける。この時、該表示媒体モジュールは、まだ製造過程中にある可能性があり、例えば、能動スイッチング素子は、表示媒体モジュールの第２基板に取り付けた後、表示媒体、画素ユニット共用電極１１２ＰＣＥ、画素対応共用電極１１２ＲＣＥ及び第１基板は、順に第２基板上設置される。また、ステップＳ７５において、機能素子を合わせて表示媒体モジュール中に取り付けることもできる。
【００７２】
一方で、ステップＳ７５を行う前、製造が完成した該能動スイッチング素子を選択的にパッケージキャリアにパッケージングすることができる（ステップＳ６３）。機能素子は、該パッケージキャリアにパッケージングすることもできる。従って、パッケージキャリアを必要としない時は、ステップＳ７３を省略することができる。
【００７３】
図１４を参照し、それは、本発明の第１１好適実施例におけるマルチメディア装置の製造方法のステップフロー図である。該製造方法は、上記実施例と同じ又は類似したマルチメディア装置３００ＭＤ、マルチメディア表示装置３００ＭＤＤ及びマルチメディアスピーカ装置３００ＭＳＰを１つ又は複数製造でき、故に、製造方法の技術内容は、相互に参考することができる。
【００７４】
先ず、ステップＳ８０において、先に画素アレイ１２２ＰＡＵを製造することは、同時に、ステップＳ８３のように、磁性誘導部３００ＭＧＬ及びキャビティ部３００ＭＤＶを有するマルチメディア基板を含むように構築し、該画素アレイは、独立して製造されるものであって、マルチメディア基板上に直接製造されるものではない。それから、ステップＳ８５において、既に製造完成した該画素アレイを独立して着脱可能に配置（即ち、各画素アレイ１２２ＰＡＵが一体に連なる要素をもたない）、又は先に領域化された表示解析度を有する画素アレイを構築した後、該画素アレイ１２２ＰＡＵを該マルチメディア基板３００ＭＤＳ中に取り付ける。また、ステップＳ８８において、マルチメディア基板３００ＭＤＳを磁性基板３００ＭＭＳと共に取り付けて結合し、上記磁性誘導部３００ＭＧＬを該画素アレイの能動スイッチング素子１１６に電気接続させ、該磁性誘導部３００ＭＧＬの電流の大きさ、速さ及び方向等を制御することに用いることもできる。
マルチメディア基板３００ＭＤＳ及び該磁性基板３００ＭＭＳの間に大きさ、速さの異なる吸引又は反発の作用力を発生させ、該磁性基板３００ＭＭＳ及び／又は該マルチメディア基板３００ＭＤＳに異なる音声周波数の音声の振動を発生させ、該画素アレイ１２２ＰＡＵに表示されるイメージ画素を組み合わせてスピーカの機能を有し且つ軽薄化されたマルチメディア装置とする。マルチメディア装置は、パソコン、携帯電話等の電子製品に応答できる以外に、交通手段、ウェアラブル装置、建築物、広告物、広告看板等の表示又は音声機能を付加する必要がある任意の物品に応用することができる。
【００７５】
以上に本発明に基づく各好適実施例の画素ユニット構造、画素ユニット構造の製造方法及び表示装置の技術内容を説明したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００７６】
１ＰＰ、１ＰＵ、１ＦＰＵ、１ＦＫＰＵ、１Ｔ１２ＰＵ、２Ｔ１２ＰＵ  画素ユニット
１２２ＰＡＵ、２２２ＰＡＵ  画素アレイ
３００ＭＤ、３００ＬＴＭＤ、３００ＭＤＤ、３００ＭＳＰ  マルチメディア装置１１６  能動スイッチング素子
１１６Ｓ、１５１Ｓ  能動スイッチング素子基板
１１６Ｔ、１５１Ｔ  トランジスタ部
１１６Ｅ  、１５１Ｅ  導電パッド
１０５、１１５、２３５、２４５  表示媒体
１Ｕ、１Ｔ１２Ｕ、２Ｔ１２Ｕ、１２２Ｕ、２１２Ｕ、２３４Ｕ  表示媒体モジュール
１０１ＰＥ、１１５ＰＥ  第１電極
１０２ＲＥ、１１５ＲＥ、２３５ＲＥ、２４５ＲＥ  第２電極
１０１ＰＳ、１１５ＰＳ  第１基板
１０２ＲＳ、１１５ＲＳ、２３５ＲＳ、２４５ＲＳ  第２基板
２１２ＰＡＣＳ、１２２ＰＡＣＳ、２３４ＰＡＣＳ  画素アレイ共用基板
２１２ＰＡＣＥ、１２２ＰＡＣＥ、２３４ＰＡＣＥ  画素アレイ共用電極
１１２ＰＣＳ  画素ユニット共用基板
１１２ＰＣＥ  画素ユニット共用電極
１１２ＲＣＳ  画素対応共用基板
１１２ＲＣＥ  画素対応共用電極
１１６ＰＫＳ  、１ＦＰＵＳ  、１１２ＦＰＵＳ、１２２ＰＡＳ、２２２ＰＡＳ  キャリアボード
１０９ＴＶ  貫通孔
１０９ＧＶ  凹溝
１１６Ｃ、１１８、１１８ＰＣ、１１６ＰＫＳＩＣ、２２２ＰＡＳＩＣ、３００ＭＬＣ  導電体
１０１ＲＣ、１０２ＲＣ、１ＦＰＵＣ、１１２ＦＰＵＣ、１１６ＰＫＳＣ、１１２ＰＵＣ、２２２ＰＡＣ、１２２ＰＡＳＣ、２２２ＰＡＳＣ、  ３００ＭＤＣ、３００ＭＴＣ  ライン導電パッド
３００ＴＩＣ、３００ＭＩＣ  導電ライン
１Ｇ  信号制御線
１０Ｓ  表示パネル基板
１１Ｇ  ゲート制御線
１Ｄ、１２Ｄ  データ制御線
１３Ｔ  薄膜トランジスタ
１４Ｐ  画素電極
１５１  機能素子
１５５  光学素子
３３  無線通信モジュール
６６  光源モジュール
１１６ＰＫＵ  パッケージキャリア
３００ＭＤＳ  マルチメディア基板
３００ＭＭＳ  磁性基板
３００ＭＤＶ  キャビティ部
３００ＭＧＬ  磁性誘導部
３００ＭＴＳ  マルチメディア信号ライン基板
３００ＭＬＳ  マルチメディア光源基板
【図１】
2019086773.tif 000003
【図２Ａ】
2019086773.tif 000004
【図２Ｂ】
2019086773.tif 000005
【図２Ｃ】
2019086773.tif 000006
【図２Ｄ】
2019086773.tif 000007
【図２Ｅ】
2019086773.tif 000008
【図２Ｆ】
2019086773.tif 000009
【図３Ａ】
2019086773.tif 000010
【図３Ｂ】
2019086773.tif 000011
【図３Ｃ】
2019086773.tif 000012
【図４Ａ】
2019086773.tif 000013
【図４Ｂ】
2019086773.tif 000014
【図４Ｃ】
2019086773.tif 000015
【図５】
2019086773.tif 000016
【図６】
2019086773.tif 000017
【図７】
2019086773.tif 000018
【図８】
2019086773.tif 000019
【図９Ａ】
2019086773.tif 000020
【図９Ｂ】
2019086773.tif 000021
【図１０Ａ】
2019086773.tif 000022
【図１０Ｂ】
2019086773.tif 000023
【図１１】
2019086773.tif 000024
【図１２】
2019086773.tif 000025
【図１３】
2019086773.tif 000026
【図１４】
2019086773.tif 000027